(57)【特許請求の範囲】
【請求項１】
細長い手による把持構造と、その把持構造の端部から延びるカートリッジ支持構造とを有するシェービングカミソリハンドルにおいて、
上記細長い手による把持構造は、金属重り（３６）が配置されている重量受容領域（３４）を形成されたプラスティック製の細長いハンドル部（３２）と、前記重り（３６）内に装着された延長部（４１）を有する非エラストマープラスティック支持層（３９）とともに成形されているエラストマープラスティック外側把持層（３７）を含む第１のハンドル部と、を有する、シェービングカミソリハンドル。
【請求項２】
手による把持構造は、少なくとも第２のハンドル部をさらに有し、
上記第２のハンドル部は、重りの前記第１のハンドル部とは反対側に配置されており、
前記第２のハンドル部は、前記重り（３６）内に装着された延長部（４１）を有する非エラストマープラスティック支持層（３９）とともに成形されているエラストマープラスティック外側把持層（３７）を有する、請求項１に記載のシェービングカミソリハンドル。
【請求項３】
使用者の手による把持面を形成する第１及び第２のハンドル部分（３８、４０）を有し、上記各ハンドル部分は内側に延びる複数の延長部（４１）を有し、重り（３６）は複数の位置決め用の開口部を有しており、その重りは上記第１及び第２のハンドル部分との間に挟持されており、さらに上記第１及び第２ハンドル部は、内方に延びる延長部を有する非エラストマープラスティック支持層（３９）とともに成形されているエラストマープラスティック外側把持層（３７）を有する、シェービングカミソリハンドル。
【請求項４】
開放された中央領域（３４）を備えた中間ハンドルフレーム部材（３０）を有し、上記中央領域（３４）に重り（３６）が配置され、前記第１及び第２ハンドル把持部は、前記フレーム部材の対向する上面及び下面に重なっている、請求項３に記載のシェービングカミソリハンドル。
【請求項５】
フレーム部材（３０）は、その長手方向の端部から延びるカートリッジ支持構造（４２）を支持する、請求項４に記載のシェービングカミソリハンドル。
【請求項６】
細長い手による把持構造と、その把持構造の端部から延びるカートリッジ支持構造とを有するシェービングカミソリハンドルにおいて、
上記細長い手による把持構造は、細長いハンドル部（３２）と、細長いハンドル部上に設けられた把持部（３８，４０）と、を有し、
前記細長いハンドル部（３２）には凹部（３４）が形成され、その凹部（３４）に金属重り（３６）が配置されており、
前記把持部（３８、４０）は、上記重り内に装着された延長部（４１）を有する非エラストマープラスティック支持層（３９）とともに成形されているエラストマープラスティック外側把持層（３７）を有する、シェービングカミソリハンドル。
【請求項７】
細長い手による把持構造はプラスティックにより形成されている、請求項６に記載のシェービングカミソリハンドル。
【発明の詳細な説明】
【技術分野】
【０００１】
本発明は、ハンドルと交換可能なカートリッジを備えたシェービング装置に関する。
【背景技術】
【０００２】
シェービング装置は、ハンドルと、１つまたは複数の刃がプラスティック製のハウジングに取り付けられた交換可能なカートリッジとからなる。カートリッジの刃は、使用するにつれて切れなくなる。そのとき、カートリッジは廃棄され、新しいカートリッジがハンドルに置き換えられる。いくつかのシェービング装置において、刃は、カートリッジハウジングに対して弾性的に取り付けられ、シェービング中に皮膚に接触する力でたわむ。いくつかのシェービング装置において、ハンドルへのカートリッジの接続は、ハンドルに関してカートリッジを回転可能に取り付け、カートリッジの角度をシェービングされる表面の輪郭に従うように調整する。このような装置において、カートリッジは、カートリッジハウジングのカム面に対してハンドルに支持され、ばね偏寄されたプランジャ（カムフォロア）の作動によって休止位置に向かって偏寄することができる。
【発明の開示】
【課題を解決するための手段】
【０００３】
１つの側面において、本発明は、刃と、ガードと、キャップと、カム面とを備えたハウジングを有する交換可能なシェービングカートリッジを特徴とする。またカートリッジは、揺動可能な支持構造を備えた相互接続部材を含み、この支持構造は、ハウジングおよびハンドルに着脱可能に固定されたベース構造を揺動可能に支持する。相互接続部材は、ハンドル上のばね偏寄カムフォロアによってカム面に当接する。
【０００４】
通常、他の側面において、本発明は、刃と、ガードと、キャップとを有するハウジングを備えた交換可能なシェービングカートリッジを特徴とする。また、カートリッジは、揺動支持構造を備えた相互接続部材を有し、この支持構造は、回転軸の周りでハウジングを揺動可能に支持し、ハンドルの端部の延長部に取り外し可能に固定されたベース構造とを有する。ハンドルの延長部は外側面を有し、ベース構造は、内側を向いた側面を有する溝を有し、内側を向いた側面は、ハンドルの延長部に関してベース構造を動かないように位置決めするようにハンドルの延長部に十分な数の外側面に係合する。また、ベース構造は、揺動軸に関して平行ではない軸に沿って溝に開口部を有する。
【０００５】
通常、他の側面において、本発明は、刃と、ガードと、キャップとを有するハウジングを備えた交換可能なシェービングカートリッジを特徴とする。またカートリッジは、ベース構造を備えた相互接続部材を有し、このベース構造は、延長軸線に沿ってハンドルの端部から延びるハンドル延長部に取り外し可能に固定される。このハンドル延長部は、外則面と、延長軸線に直角な側面を通る平面に非対象的な断面を有する。ベース構造は、延長部とかみあう溝を有し、伸長部に関してベースを動かないように位置決めし、ハンドルに対してハウジングの向きを適当にするように非対称形の延長部に沿って十分な数の外側面に係合する内側を向いた側面を有する。ベース構造は、平面に直角な軸に沿って溝に対する開口部を有する。
【０００６】
１つの側面において、本発明は、通常、交換可能なカミソリ刃カートリッジを特徴とし、このカミソリ刃カートリッジは、刃ユニットと、この刃ユニットをハンドルに接続するカートリッジ接続構造を含む。カートリッジ接続構造は、内側に向いた表面を有し、この表面は、ハンドルを受ける領域の一部を形成し、ハンドルのハンドル接続構造の外側に向かう表面とかみあう。またカートリッジは、ハンドルを受ける領域への接続入口と、ハンドルを受ける領域に延びている突出部とを有する。この突出部は、カートリッジの接続構造にハンドル接続構造を保持するために接続入口から反対方向に面しているブロック表面を有する。
【０００７】
他の側面において、本発明は、通常、交換可能なカミソリ刃カートリッジを特徴とし、このカミソリ刃カートリッジは、カートリッジ接続構造に揺動可能に接続された刃ユニットを有し、カートリッジ接続構造は、ハンドルからカートリッジを解放するように可動なラッチング部材を有する。
【０００８】
本発明の１つの実施例は、１つまたは複数の次の特徴を有する。
【０００９】
ある実施例において、ハウジングは、刃の下に妨げられることのない洗滌領域を有し、揺動支持構造は、ガードの領域の前方に揺動軸線を有する。ベースの溝の形状は、台形でもよく、６辺を有し、刃に平行な方向に平坦である。
【００１０】
ある実施例において、ベース構造は、ハンドルにスナップ適合される。ベース構造は、戻り止めを有し、ハンドルは戻り止めを受ける形状のかみ合い凹部部分を有する。別の例として、ハンドルは、戻り止めを有し、ハンドル構造は、戻り止めを受けるかみ合い凹部部分を有する。複数の戻り止めおよび凹部部分が使用される。別の例として、ベース構造は、ハンドルに固定される。
【００１１】
ある実施例において、ハウジングおよび相互接続部材は、プラスティックの別の部品から製造される。別の例として、ハウジングと相互接続部材は、プラスティックの同じ部品から製造される。回転支持構造は、リビングヒンジによって提供される。別の例として、揺動支持構造は、可撓性プラスティックヒンジ部分によって形成され、このプラスティックヒンジ部分は、ハウジングよりさらに可撓性を有し、回転領域でハウジングおよび相互接続部材を接続する。
【００１２】
ある実施例において、相互接続部材の揺動支持構造は、端部を備えた２つのアームを有し、この端部は、ハウジングの２つの側面に開口部を有する溝に保持されている。アームの端部は、ハウジングの溝にプレスばめされている。溝は、溝内にアームの端部を保持するためにクリップによってカバーされている。アームは、ハウジングの上方を向いた弧状面で摺動する下面を有する。
【００１３】
ある実施例において、ハウジングは、相互に接続された部材からばね偏寄されたプランジャにカムフォロア表面を受けるカム面を有する。相互接続部材は、ばね偏寄部材を受ける開口部を有する。カム面は休止位置から一方向にのみ揺動することができ、休止位置から前方および後方に異なる大きさで揺動することができる。またハウジングは、相互接続部材と相互作用する前方および後方停止面を有する。
【００１４】
ある実施例において、刃はハウジングの上側からハウジングに入れられる。刃は、ハウジングの底部側で相互接続部材を保持するクリップによってハウジングに保持される。ハウジングは３つの刃を支持している。刃はばね偏寄される。例えば、刃はハウジングと一体的なばねアームによってハウジングに弾性的に支持されている。ガードは、エラストマーでつくられ、ユーザの皮膚に係合する可撓性フィンを有する。
【００１５】
通常、他の側面において、本発明は、交換可能なシェービングカートリッジを製造する方法を特徴とする。刃と、回転支持部材を有する相互接続部材と、ハンドルに取り外し可能に固定されるベース構造とが設けられる。揺動支持構造は、ハウジングの溝に挿入される。揺動支持構造は、溝に保持される。
【００１６】
本発明の実施例は、１つまたは複数の次の特徴を有する。把持工程は、スナップ適合および／またはクリップを含む。この刃は、クリップを加え、前記刃をクリップで保持する前にハウジングに刃を加える。
【００１７】
さらに他の側面において、本発明は、手で把持する細長い把持構造と、手で把持する構造の端部から延びるカートリッジ支持構造を有するシェービングカミソリを特徴とする。カートリッジ支持構造は、カートリッジの溝の内側を向いた表面とかみあう外側面と、開口部を備えた端面とを有する。ばね偏寄プランジャは、カートリッジ支持構造に保持され、カートリッジ支持構造の前記開口部を通して延びている。
【００１８】
本発明のある実施例は、１つまたは複数の次の特徴を有する。
【００１９】
ある実施例において、外側面は、ハンドルに関するカートリッジの適当な向きを保証するために非対称形の向きを提供し、ばね偏寄プランジャは、カートリッジ支持構造の溝によって案内される。エジェクタおよびスナップ適合エジェクタボタンは、カートリッジを放出するために使用される。エジェクタボタンは、カートリッジ支持構造への取り付けを容易にするために傾斜面を有する。エジェクタボタンは、エジェクタを押すときにカートリッジ支持構造の案内面上を摺動する。カートリジ支持構造は、軌道を有する。エジェクタボタンは、軌道上を摺動する溝を有する。
【００２０】
ある実施例において、プランジャおよびエジェクタは、ばねによって両方向に偏寄される。プランジャはカートリッジ支持構造内にプランジャを保持する停止部を有する。プランジャは傾斜面を備えたアームを有する。傾斜面と停止部はプランジャ上に伸びており、プランジャを案内するためにカートリッジ支持構造のスロットに保持されている。停止部は、停止部をカートリッジ支持構造に挿入することができるように傾斜面を有する。プランジャは、プランジャを案内する後方の案内部材を有する。
【００２１】
ある実施例において、ばねの第１の端部は、プランジャを停止部に偏寄し、ばねの第２の端部は、カートリッジ支持構造の後面にエジェクタを偏寄する。エジェクタボタンおよびカートリッジ支持構造は、ばねを捕捉して案内するばね支持部分を有する。
【００２２】
ある実施例において、エジェクタアームと、エジェクタボタンに係合する狭い部分とを有するＵ形状のクリップを有し、カートリッジ支持構造は、エジェクタアームと狭い部分が摺動するかみ合いガイド面を有する。
【００２３】
ある実施例において、カートリッジ支持構造および細長い把持構造は、プラスティックの１つの部品からつくられる。別の例として、カートリッジ支持構造および細長い把持構造は分離したプラスティックからつくられる。
【００２４】
通常、他の側面において、本発明は、手で把持する細長い把持構造と、手で把持する細長い把持構造の端部から延びているカートリッジ支持構造とを有する。手で把持する細長い把持構造は、把持部分を有し、エラストマープラスティック製の外側把持層と、手で把持する細長い把持構造にプレスばめされる延長部を有する非エラストマープラスティック支持層とを有する把持部分を含む。
【００２５】
ある実施例において、手で把持する細長い把持構造は、プラスティックからつくられ、重りが配置される溝が形成される。プラスティックは金属色のプラスティックである。
【００２６】
通常、他の側面において、本発明はシェービングカミソリハンドルをつくる方法を特徴とする。手で把持する細長い把持構造および手で把持する細長い把持構造の端部から延びるとともに内側に面する停止面を備えた溝を有する取り付けカートリッジ支持構造が提供される。ばねおよび外側に向いた停止面を有するプランジャは、外側に向いた停止面が内側に向いた停止面を押し、内側に向いた停止面によって保持されるまで溝に挿入される。
【００２７】
本発明のある実施例は、次の１つまたは複数の特徴を含む。エジェクタは、溝に挿入される。エジェクタボタンは、エジェクタを押すようにカートリッジの支持構造に挿入される。
【００２８】
通常、他の側面において、本発明は、ハンドルと、回転ハウジングと相互接続部材を含む交換可能なシェービングカートリッジとを有するカミソリを特徴とする。ハウジングは、刃と、ガードと、キャップとを支持しており、カム面を有する。相互接続部材は、ハウジングを回転可能に支持する回転支持構造と、溝を有する中央ベース構造と、カム面に面する溝の開口部を有する。ハンドルは、溝とかみ合う形状のカートリッジ支持構造と、カートリッジ支持構造から開口部を通ってカム面に作用してハウジングを偏寄するカムフォロア面を備えたばね偏寄プランジャとを有する。
【００２９】
通常、他の側面において、本発明は、ハウジングと、相互接続部材を含む交換可能なシェービングカートリッジとを有するカミソリを特徴とする。ハウジングは、少なくとも１つの刃と、ガードと、キャップとを有する。相互接続部材は、揺動支持構造と、溝を有する中央ベース構造とを有する。ハンドルは、溝とかみ合う形状の延長部と、カートリッジ支持構造から中央ベース構造への形状を連続するように中央ベース構造と同じ構造を有する。
【００３０】
本発明のある実施例は、１つまたは複数の次の特徴を有する。中央ベース構造は、刃に平行な軸線に沿って平坦であり、曲がった形状か、または傾斜形状を有する。
【発明を実施するための最良の形態】
【００３１】
図１および図２を参照すると、シェービングカミソリ１０は、ハンドル１２と交換可能なカートリッジ１４とを有する。図２を参照すると、カートリッジ１４は、ハンドル１２から取外し可能である。カートリッジ１４は、ハウジング１６を有し、このハウジング１６は、３つの刃１８と、ガード２０と、キャップ２２とを有する。またカートリッジ１４は、ハウジング１６が揺動可能に取り付けられる相互接続部材２４を有する。相互接続部材２４は、ベース２７を有し、ベース２７は、ハンドル１２の非対称形の延長部２６（図２１）に着脱可能に装着され、また、相互接続部材２４は、２つの側面で揺動可能にハウジング１６を支持する２つのアーム２８を有する。
【００３２】
図３を参照すると、ハンドル１２は、他の部品を取り付ける第１の構造部材として金属色のプラスティック部品３０を有する。部品３０の細長い部分３２は、金属（亜鉛）の重り３６を受ける溝３４を有し、この重り３６は、完成したユニットに手で持つ構造を提供するためにプラスティック製保持部分３８と４０との間に挟まれている。プラスティック製の把持部分３８および４０は、二色成形によって製造されるエラストマー製のプラスティック製の外側把持層３７（例えば、熱可塑性エラストマー）と、非エラストマープラスティック層３９（例えば、アクリルニトリル・ブタジエン・ストイレン）とから製造される。非エラストマープラスティック支持層３９は、細長い部分３２の重り３６にプレスばめされる延長部４１を有する。図４は、変形されない形状の延長部４１（架線）と、突出部４３において延長部につくられた絞りばめを示す。
【００３３】
カートリッジ支持構造４２は、細長い部分３２の端部から延びている。それは、台形状の延長部２６（図２１参照）と、相互接続部材２４に対してハウジング１６の偏寄を行うばね偏寄プランジャ動作を行わせる部材とを提供する。また、カートリッジ支持構造４２は、ハンドル１２からカートリッジ１４を解放する部品を含む。
【００３４】
ばね偏寄プランジャ４４と、ばね４６と、Ｕ形状のエジェクタ４８が、カートリッジ支持構造４２の溝４９内に受けられる。エジェクタボタン５０が支持構造４２の上面の開口部５２に設けられ、エジェクタ４８の後方の狭い部分で矩形の領域５６内に収容されている。
【００３５】
図５，図６および図１７を参照すると、カートリッジ１４のハウジング１６は、刃１８のベース部分５９の縁部を受ける側壁６０の内側を向いたスロット５８と、各刃が弾性的に支持される各弾性アーム６２を有する。刃１８は、使用中のカートリッジの洗浄を容易にするために側壁６０の間のほぼ妨げられない領域６４内に配置されている。
【００３６】
キャップ２２は、潤滑シェービング補助剤を提供し、ハウジング１６の後方でスロット６６に装着される。キャップ２２は、当業者に公知で、例えば、米国特許第５，１１３，５８５号および米国特許第５，４５４，１６４号に説明されている疎水性材料および水が浸出できる浸水性ポリマー材料の混合物を含む材料からつくられる。ガード２０は、ユーザの皮膚に係合し、それらを拡張するためにハウジング１６の前方に取り付けられているフィンを備えたエラストマーユニットを有し、例えば、参考によりここに組み込まれている米国特許第５，１９１，７１２号に説明するような他の皮膚係合突出部分を使用することができる。クリップ６８は、ハウジング１６内に刃１８を保持し所望の露出でばね偏寄刃の刃縁を位置せしめるために、側壁６０の隆起縁部７０の内側でハウジング１６の各側部に固定されている。
【００３７】
またクリップ６８は、ハウジング１６の底部の周りを包囲し、相互接続部材２４のアーム２８の回転支持端部７２が外れることを防止する。ベース２７は、上部に開口部７４を有し、この開口部７４を通してハンドルのばね偏寄プランジャ４４がハウジング１６の底部のカム面（図５には示さない）に作用する。ベース２７は、湾曲したまたはベベル形状を有す。
【００３８】
図７ないし図１４および図２１は、プランジャ４４と、エジェクタ４８と、ボタン５０と、カートリッジ支持構造４２とを示している。図７を参照すると、カートリッジ支持構造４２内の溝は、エジェクタ４８（図１２）のアーム７８を受ける広い前方部分７６と、エジェクタ４８の狭い部分８２を受ける狭い部分８０とを有する。エジェクタ４８の狭い部分８２の矩形の領域５６は、支持構造４２の上面の開口部５２と整列するが、エジェクタ４８がエジェクタボタン５０によって外側に押されるとき、摺動軸線８３に沿って開口部５２に関して可動である。
【００３９】
図１０及び図１４を参照すると、エジェクタボタン５０の各延長部５４は、外側を向いた溝８４を有し、この溝８４は、軸８３に沿って開口部５２内の各軌道８６を摺動する。溝８４を形成する上面８５は、軌道８６の上面８９上を摺動し、溝８４を形成する下面９１は、軌道８６の下面上の捕捉に影響を与え、軌道８６の下面に接触する。延長部５４は、ボタン５０がカートリッジ支持構造４２に挿入されるとき、延長部５４をたわませるために軌道８６の曲がった上方コーナーと協働する傾斜面８７を有する。延長部５４の溝８４が軌道８６と整列するとき、延長部５４は、ほぼそれらのたわまない位置に戻り、エジェクタボタン５０を開口部５２内の所定の位置に固定する。エジェクタ４８はボタン５０が挿入される前に溝４９内に配置され、延長部５４の端部は、カートリッジ支持構造４２内にエジェクタ４８を保持するように矩形の領域５６内に配置される。延長部５４は、エジェクタボタン５０がハンドル１２の端部に押されるとき、エジェクタ４８の面９４を押す。ボタン５０が挿入された後、延長部５４の上方垂直面９６は、開口部５２の上面９８の間の空隙内に配置される。
【００４０】
ばね４６は、延長部５４の間の空隙を通って延びており、ボタン５０のばねガイド９０の曲がった下面によって案内される。図１０に示すように、また下面形成溝４９は、ばね４６を受けおよび案内するために曲がった中央部分９２を有する。  図８および図１３に示すように、プランジャ４４は、平坦な本体１０６と、ばね４６（図３）を受ける円筒形の後方延長部１００と、ハウジング１６のカム面１３６（図２０）に作用する曲がった前方カムフォロア部分１０２と、サイドアーム１０４と、整列した後方ガイド部分１０８とを有する。平坦な本体１０６は、溝４９の平坦な前方部分内に配置される。サイドアーム１０４の部分および本体１０６の上下に整合された後方ガイド部分１０８は、非対称形の延長部２６の両側に配置されたスロット１１０，１１２内に配置されている。サイドアーム１０４は、スロット１１０および１１２の前方を越えてプランジャ４４の前方の動きを防止する停止面１１４を有する。スロット１１０，１１２内のサイドアーム１０４およびガイド部分１０８の部分は、軸８３に沿ってプランジャ４４の摺動作用を案内するガイドとして作用する。
【００４１】
サイドアーム１０４は、停止面１１４がスロット１１０，１１２の前端を越えて前進し、停止面１１４が各スロット内の所定の位置に嵌合するまで溝に挿入されるとき、アーム１０４を下方に偏寄する傾斜面を有する。スロット１１０，１１２が非対称形延長部２６の両側に設けられているので、プランジャ４４がいずれかの位置に向くように、停止面１１４がスロット１１０または１１２に向くように挿入することができる。
【００４２】
図７および図１１を参照すると、非対称形の延長部２６の１つの表面は、カートリッジ１４を延長部２６に保持するためにカートリッジ１４のベース２７内に戻り止めを受けるくぼみ１２２を有する。
【００４３】
ハンドル１２の製造において、手によって把持される部品は、重り３６を溝３４に挿入することによって組み立てられ、次に部品３８，４０のプラスばめ延長部が重り３６の整列した開口部に挿入される。重り３６および部品３８，４０は、延長部４１と突出部４３との間の干渉適合によって所定の位置に固定される。エラストマー層３７は、プラスティック部品３０と重り３６の細長い部分３２の側壁の間に密封を提供するために変形される（図４は、部品の変形されない形状を鎖線で示したものである）。
【００４４】
ハンドル１２の端部でカートリッジ支持構造４２の部品を組み立てるときに、まずエジェクタ４８が溝４９に挿入される。次にばね４６およびプランジャ４４が挿入される。サイドアーム１０４の傾斜面１２０は、挿入中溝の中間に向かって偏寄され、（プランジャの向きに依存して）スロット１１０または１１２にスナップ結合し、プランジャ４４、ばね４６、及びエジェクタ４８をカートリッジ支持構造４２の所定位置に固定する。ばね４６は、溝４９の表面およびボタンの延長部５４に対して後方にエジェクタ４８を偏寄し、プランジャ４４を前方に偏寄するように作用し、停止面１１４が、スロット１１０または１１２の前縁に対して偏寄される。ボタン５０は、エジェクタ４８が所定の位置に挿入された後、開口部５２に挿入される。傾斜面８７は軌道８６の曲がった上方部分によって内側に偏寄され、エジェクタボタン５０は、軌道８６内の所定の位置に適合され、軌道８６が溝８４内に配置される。
【００４５】
図１５ないし図２０は、交換可能なカートリッジ１４および揺動運動の詳細を示している。図１５を参照すると、クリップ６８によって保持されている回転支持端部７２を備えたハウジング１６に組み立てられている相互接続部材２４が示されている。ベース２７は、延長部２６と同じ形状であり、延長部２６とかみあう台形状の溝１３０を有する。
【００４６】
図１７を参照すると、他のカートリッジ部品をその上に組み立てる前に示されるハウジング１６は、アーム２８の端部の回転支持端部７２を受ける溝１３２を有する。アーム２８は、支持端部７２が開口部を通って溝１３２に挿入されるときたわみ、端部７２を所定の位置に配置するために溝１３２内に配置した後、スナップ適合がたわまない向きに戻される。
【００４７】
図６および図１１を参照すると、ベース２７の溝１３０の戻り止め１３２は、非対称的な延長部２６のくぼみ１２２とかみ合う。溝１３０の上部には、開口部７４があり、この開口部７４は、ばね偏寄プランジャ４４をベース２７を通して延長させ、ハウジング１６の底部のカム面１３６と相互作用することができるようにする。
【００４８】
図１８ないし図２０を参照すると、各揺動支持端部７２は、ハウジング１６の上方の湾曲面１４０を摺動し、面１４０を含む円の中央に揺動軸を提供する下方の湾曲面１３８を有することが分かる。揺動軸は、ガード２０の領域の刃の前方にある。図１８は、揺動支持端部７２が案内壁１６２の前表面を支持する偏寄されない位置のハウジング１６を示す。図１９は、ハウジング１６の前方に偏寄した状態を示し、この場合、揺動支持端部７２の前表面がハウジング１６の前壁部分に対して押される。これは、シェービングの前のハウジング１６の休止位置である。休止位置での前方への偏寄は、カム面の輪郭を形成することによって達成され、カムフォロア面１０２を有するプランジャ４４は、図２０に示すようにハウジング１６の前方近くの休止位置を有する。
【００４９】
図２０は、ハウジング１６の回転運動の範囲を示す。キャップ２２は、シェービング中に最初にユーザの皮膚に接触し、ハウジング１６は、時計方向に回転し、ユーザの顔の輪郭に従い、プランジャ４４によって偏寄される。キャップ２２の最初の向きは、最初、キャップ２２に近い刃を、ガードに接近した刃よりも皮膚に押すことができるようにする。しかしながら、ガードの領域の揺動および軽い揺動力は、シェービング中にカートリッジを“重いガード”にし、キャップよりガードの荷重を大きくする。３つの刃は、漸進的な最初の露出が行われ、この露出は、各刃の前方および直ぐ後方のカートリッジ部品の皮膚接触面に正接した平面に関して測定された刃縁の垂直方向の距離、すなわち高さとして定義される。特に、主な刃は、初期の負の露出を有し、第２の刃は、ゼロの初期の露出を有し、第３の刃は正の最初の露出を有する。ばね定数と刃の予備荷重は同じであり、刃はシェービング中に“漸進的な力”を有し、第３の刃の力は、第１の刃の力より大きく、第２の刃の力は、第１および第３の波の力の中間か、または第１または第３の刃のいずれかの力に等しい。有利なシェービングの結果は、弾性的に取り付けられた３つの刃を有するカートリッジが、シェービング中にこのような漸進的な力のパターンを呈するときに達成されると考えられる。
【００５０】
本発明の１つの実施例は、請求項の範囲内にある。ベース構造は、解放可能なラッチでハウジングに保持することができる。刃は上部の代わりに底部からの荷重を受ける。カートリッジ支持構造は、ハンドルから分離された１つのユニットとしてつくられ、それに取り付けられる。台形の延長部２６の代わりに（図２１）、６つの側面を有する延長部２２６（図２２）または他の非対称形の形状を使用することができる。
【００５１】
回転接続部分は、各穴、シェル軸受、他の技術でピンによって提供される。例えば、図２１を参照すると、揺動支持構造は、可撓性のプラスティックヒンジ部分２００によって提供され、このヒンジ部分２００は、ハウジング２０２よりさらに可撓性を有する材料からつくられ、回転領域２０６でハウジング２０２と相互接続部材２０４とを接続する。これらの部品は、二色成形によってつくられる。別の例として、図２４を参照すると、ハウジング２０８および相互接続部材２１０は、プラスティックの同じ部品からつくられ、回転支持構造は、リビングヒンジ２１２によって提供される。またリビングヒンジは、ハウジングと異なるプラスティックの相互接続部材とともに使用される。
【図面の簡単な説明】
【００５２】
【図１】本発明によるシェービングカミソリの斜視図。
【図２】ハンドルと、互いに分離した図１のカミソリの交換可能なカートリッジとを示す斜視図。
【図３】本発明のハンドルの部品の分解図。
【図４】図２のハンドルの部品の３Ａ−３Ａで切った断面図。
【図５】図２の交換可能なカートリッジの部品の分解図。
【図６】図２の交換可能なカートリッジの部品の図１６の４Ａ−４Ａで切った分解断面図。
【図７】図２のハンドルの端部のカートリッジ支持構造を示す部分平面図。
【図８】図２のハンドルのプランジャの正面図。
【図９】図７のカートリッジ支持構造の線７−７で切った部分断面図。
【図１０】図７のカートリッジ支持構造の線８−８で切った断面図。
【図１１】図７のカートリッジ支持構造の線９−９で切った部分断面図。
【図１２】図７のカートリッジ支持構造に使用されるエジェクタの平面図。
【図１３】図８のプランジャの斜視図。
【図１４】図７のカートリッジ支持構造に使用されるエジェクタボタンの正面図。
【図１５】図２の交換可能なカートリッジの正面図。
【図１６】図１５の交換可能なカートリッジの平面図。
【図１７】図１５の交換可能なカートリッジの底面図。
【図１８】ハンドルへの接続の前における、カートリッジのベース構造に対する非偏寄回転位置の図１５のカートリッジのハウジングを示す一部を破断した側面図。
【図１９】ハンドルへの接続後の偏寄位置の図１５のカートリッジの一部を破断した側面図。
【図２０】図１５の交換可能なカートリッジの回転運動の範囲を示す一部を破断した側面図。
【図２１】図２のハンドルの延長部の断面図。
【図２２】図２のハンドルの延長部の他の実施例の断面図。
【図２３】異なる回転支持構造を有するカートリッジの他の実施例の側面図。
【図２４】異なる回転支持構造を有するカートリッジの他の実施例の側面図。
【符号の説明】
【００５３】
１２  ハンドル
１４  カートリッジ
１６  ハウジング
１８  刃
２０  ガード
２２  キャップ
２４  相互接続部材
２６  延長部
２７  ベース
２８  アーム
３２  細長い部分
３４  溝
３６  重り
３７  外側把持層
４１  延長部
４２  カートリッジ支持構造
４４  プランジャ
４８  エジェクタ
５０  エジェクタボタン
１１４  停止面
１３０  溝
【図１】
0004629077.tif 000002
【図２】
0004629077.tif 000003
【図３】
0004629077.tif 000004
【図４】
0004629077.tif 000005
【図５】
0004629077.tif 000006
【図６】
0004629077.tif 000007
【図７】
0004629077.tif 000008
【図８】
0004629077.tif 000009
【図９】
0004629077.tif 000010
【図１０】
0004629077.tif 000011
【図１１】
0004629077.tif 000012
【図１２】
0004629077.tif 000013
【図１３】
0004629077.tif 000014
【図１４】
0004629077.tif 000015
【図１５】
0004629077.tif 000016
【図１６】
0004629077.tif 000017
【図１７】
0004629077.tif 000018
【図１８】
0004629077.tif 000019
【図１９】
0004629077.tif 000020
【図２０】
0004629077.tif 000021
【図２１】
0004629077.tif 000022
【図２２】
0004629077.tif 000023
【図２３】
0004629077.tif 000024
【図２４】
0004629077.tif 000025